(57)【要約】【課題】優れた操作性を具備する吐出容器を提供する。【解決手段】吐出ポンプ１の押下ヘッド７が、規制筒８に装着された下側ヘッド筒５０と、内側に下側ヘッド筒５０が配設された上側ヘッド筒６０と、を備え、下側ヘッド筒５０及び上側ヘッド筒６０には、周方向の相対的な回転移動を規制する規制部が各別に形成され、下側ヘッド筒５０は、規制筒８に螺着された螺着筒５１と、螺着筒５１における径方向の外側に配設された上側ピルファープルーフ部５３と、螺着筒５１と上側ピルファープルーフ部５３との間に容器軸Ｏ方向に移動可能に配設されるとともに、上側ヘッド筒６０の下端部に押し下げられた連結部５２と、を備え、上側ピルファープルーフ部５３は、破断可能な弱化部６９を介して連結部５２に連結され、上側ピルファープルーフ部５３には、規制筒８に係合することで、周方向の回転移動が規制された係合部７１が形成されている。【選択図】図１
2018052596.tif 000002
【特許請求の範囲】
【請求項１】
内容物が収容される容器本体と、
前記容器本体の口部に装着される装着キャップと、
前記装着キャップの内側に、上方付勢状態で下方移動可能に支持されたステムを有するポンプと、
前記ステムの上端部に装着され、内容物の吐出孔が形成された有頂筒状の押下ヘッドと、
下降端位置に位置する前記押下ヘッドが装着され、前記押下ヘッド及び前記ステムの上方移動を規制する規制筒と、を備える吐出容器であって、
前記押下ヘッドは、
前記規制筒に装着された下側ヘッド筒と、
前記吐出孔が形成されるとともに、内側に前記下側ヘッド筒が配設された上側ヘッド筒と、を備え、
前記下側ヘッド筒及び前記上側ヘッド筒には、前記下側ヘッド筒及び前記上側ヘッド筒の、前記ステムの中心軸回りに沿う周方向の相対的な回転移動を規制する規制部が各別に形成され、
前記下側ヘッド筒は、
前記規制筒に螺着された螺着筒と、
前記螺着筒における径方向の外側に配設されたピルファープルーフ部と、
前記螺着筒と前記ピルファープルーフ部との間に前記中心軸に沿って上下動可能に配設されるとともに、前記上側ヘッド筒の下端部に押し下げられた連結部と、を備え、
前記ピルファープルーフ部は、破断可能な弱化部を介して前記連結部に連結され、
前記ピルファープルーフ部には、前記容器本体、前記装着キャップ及び前記規制筒のうち何れか１つに係合することで、前記周方向の回転移動が規制された係合部が形成されていることを特徴とする吐出容器。
【請求項２】
前記連結部には、上方に向けて延びるとともに、前記上側ヘッド筒を前記径方向の内側から支持する中間筒が形成され、
前記連結部において、前記中間筒よりも前記径方向の外側に位置する部分が、前記上側ヘッド筒の下端部に押し下げられ、
前記規制部は、前記中間筒の外周面、及び前記上側ヘッド筒の内周面に形成された第１規制部を備えていることを特徴とする請求項１に記載の吐出容器。
【請求項３】
前記連結部において、前記中間筒よりも前記径方向の内側に位置する部分には、上下方向に変形可能な変形部が形成され、
前記螺着筒、前記連結部及び前記ピルファープルーフ部は、一体に形成されていることを特徴とする請求項２に記載の吐出容器。
【発明の詳細な説明】
【技術分野】
【０００１】
本発明は、吐出容器に関する。
【背景技術】
【０００２】
従来、内容物が収容される容器本体と、容器本体の口部に装着される有頂筒状の装着キャップと、装着キャップに上方付勢状態で下方移動可能に貫設されたステムを有するポンプと、ステムの上端部に装着されるとともに、吐出孔が形成された押下ヘッドと、下降端位置に位置する押下ヘッドが螺着され、押下ヘッド及びステムの上方移動を規制する規制筒と、を備えた吐出容器が知られている。
【０００３】
この種の吐出容器では、未開封時において意図的、又は不意に加えられた外力によって内容物が吐出されてしまうことを防止するために、例えば下記特許文献１に示されるような、下降端位置に位置する押下ヘッドを覆うカバー筒を備える構成が知られている。この吐出容器では、カバー筒に弱化部によって除去帯が区画されていて、弱化部を破断し除去帯を除去することで、カバー筒のうち押下ヘッドを覆う上側部分を除去することができる。そして、カバー筒の上側部分を除去することで、押下ヘッドを規制筒に対して緩み方向に回転移動させることができる。
【先行技術文献】
【特許文献】
【０００４】
【特許文献１】特開２００６−８９１１０号公報
【発明の概要】
【発明が解決しようとする課題】
【０００５】
しかしながら、前記従来の吐出容器では、押下ヘッドと規制筒との螺着の解除に際し、予め弱化部を破断してカバー筒の上側部分を除去する必要があり、内容物を吐出可能な状態へ移行する際の操作性に改善の余地があった。
【０００６】
そこで本発明は、上述した事情に鑑みてなされたものであって、優れた操作性を具備する吐出容器を提供するものである。
【課題を解決するための手段】
【０００７】
上記課題を解決するために、本発明は以下の手段を提案している。
本発明に係る吐出容器は、内容物が収容される容器本体と、前記容器本体の口部に装着される装着キャップと、前記装着キャップの内側に、上方付勢状態で下方移動可能に支持されたステムを有するポンプと、前記ステムの上端部に装着され、内容物の吐出孔が形成された有頂筒状の押下ヘッドと、下降端位置に位置する前記押下ヘッドが装着され、前記押下ヘッド及び前記ステムの上方移動を規制する規制筒と、を備える吐出容器であって、前記押下ヘッドは、前記規制筒に装着された下側ヘッド筒と、前記吐出孔が形成されるとともに、内側に前記下側ヘッド筒が配設された上側ヘッド筒と、を備え、前記下側ヘッド筒及び前記上側ヘッド筒には、前記下側ヘッド筒及び前記上側ヘッド筒の、前記ステムの中心軸回りに沿う周方向の相対的な回転移動を規制する規制部が各別に形成され、前記下側ヘッド筒は、前記規制筒に螺着された螺着筒と、前記螺着筒における径方向の外側に配設されたピルファープルーフ部と、前記螺着筒と前記ピルファープルーフ部との間に前記中心軸に沿って上下動可能に配設されるとともに、前記上側ヘッド筒の下端部に押し下げられた連結部と、を備え、前記ピルファープルーフ部は、破断可能な弱化部を介して前記連結部に連結され、前記ピルファープルーフ部には、前記容器本体、前記装着キャップ及び前記規制筒のうち何れか１つに係合することで、前記周方向の回転移動が規制された係合部が形成されている。
【０００８】
この構成によれば、押下ヘッドのピルファープルーフ部が係合部を介して容器本体、装着キャップ及び規制筒の何れか１つに係合している。そのため、押下ヘッドのうち、ピルファープルーフ部以外の部分（以下、「ヘッド本体部分」という。）は規制筒に対する緩み方向への回転が許容されるものの、ピルファープルーフ部の緩み方向への回転が規制される。これにより、押下ヘッドの緩み方向の回転に伴いヘッド本体部分とピルファープルーフ部とが相対回転することで、弱化部が破断される。すなわち、押下ヘッドの緩み方向への回転操作だけで、弱化部を破断して、押下ヘッドと規制筒との螺着を解除することができるので、開封時における優れた操作性を具備させることができる。
しかも、弱化部を破断することで、ピルファープルーフ部がヘッド本体部分から落下することになり、吐出容器の外観を当初（未開封時）と比べて変化させることが可能になる。このため、吐出容器が開封されたか否か（押下ヘッドと規制筒との螺着が解除されたことがあるか否か）を視認により容易に判別することができる。この場合、例えば吐出容器の開封後、押下ヘッドが再び下降端位置に戻された場合であっても、ピルファープルーフ部の位置によって吐出容器が開封されたか否かを判断できる。
【０００９】
本発明に係る吐出容器において、前記連結部には、上方に向けて延びるとともに、前記上側ヘッド筒を前記径方向の内側から支持する中間筒が形成され、前記連結部において、前記中間筒よりも前記径方向の外側に位置する部分が、前記上側ヘッド筒の下端部に押し下げられ、前記規制部は、前記中間筒の外周面、及び前記上側ヘッド筒の内周面に形成された第１規制部を備えていてもよい。
この構成によれば、下側ヘッド筒の中間筒が上側ヘッド筒を径方向の内側から支持しているため、上側ヘッド筒を下側ヘッド筒によって安定して支持できる。これにより、連結部を上側ヘッド筒によって安定して押し下げることができ、ピルファープルーフ部の係合部と容器本体、装着キャップ及び規制筒の何れか１つとの係合状態を確保できる。
また、中間筒の外周面と上側ヘッド筒の内周面に形成された第１規制部によって下側ヘッド筒に対する上側ヘッド筒の回転を規制することで、下側ヘッド筒と上側ヘッド筒との組付状態をより安定させることができる。
【００１０】
本発明に係る吐出容器において、前記連結部において、前記中間筒よりも前記径方向の内側に位置する部分には、上下方向に変形可能な変形部が形成され、前記螺着筒、前記連結部及び前記ピルファープルーフ部は、一体に形成されていてもよい。
この構成によれば、連結部における中間筒よりも径方向に内側に位置する部分に、上下方向に変形可能な変形部が形成されているため、連結部を上側ヘッド筒によって安定して押し下げることができる。これにより、ピルファープルーフ部の係合部と容器本体、装着キャップ及び規制筒の何れか１つとの係合状態を確保できる。
また、螺着筒、連結部及びピルファープルーフ部が一体に形成されているため、部品点数の削減や構成の簡素化を図ることができる。
【発明の効果】
【００１１】
本発明に係る吐出容器によれば、優れた操作性を具備させることができる。
【図面の簡単な説明】
【００１２】
【図１】実施形態に係る吐出容器（下降端位置）の半断面図である。
【図２】図１のＩＩ−ＩＩ線に相当する規制筒及び下側ヘッド筒の断面図である。
【図３】実施形態に係る下側ヘッド筒の半断面図である。
【図４】実施形態に係る吐出容器（上昇端位置）の半断面図である。
【発明を実施するための形態】
【００１３】
以下、図面を参照し、本発明の実施形態を説明する。
図１に示すように、本実施形態の吐出容器１０は、内容物が収容される有底筒状の容器本体２と、容器本体２の口部２ａに装着され、内容物を吐出可能な吐出ポンプ１と、を備えている。
【００１４】
吐出ポンプ１は、容器本体２の口部２ａに装着される筒状の装着キャップ３と、装着キャップ３の内側に、上方付勢状態で下方移動可能に支持されたステム４を有するポンプ５と、ステム４の上端部に装着されるとともに、内容物を吐出する吐出孔６が形成された押下ヘッド７と、押下ヘッド７が装着され、押下ヘッド７及びステム４の上方移動を規制する規制筒８と、を備えている。
【００１５】
ステム４及び押下ヘッド７は、未開封段階等において、図１に示すように下降端位置Ｐ１に位置しているとともに、押下ヘッド７が規制筒８に保持されることで上方移動が規制された状態とされている。一方、図４に示す使用段階において、押下ヘッド７はステム４とともに上昇端位置Ｐ２に位置して、押下のための待機状態に移行する。
【００１６】
なお、容器本体２、装着キャップ３及びステム４は、それぞれの中心軸が共通軸上に位置された状態で配設されている。本実施形態ではこの共通軸を容器軸Ｏといい、容器軸Ｏに沿った押下ヘッド７側を上側、容器本体２の底部側を下側という。また、容器軸Ｏ方向から見た平面視において、容器軸Ｏに直交する方向を径方向といい、容器軸Ｏ回りに周回する方向を周方向という。
【００１７】
図１に示すように、ポンプ５は、ステム４と、容器本体２の口部２ａ内に挿入された状態で装着キャップ３によって保持され、ステム４が上方に向けて立設されたシリンダ２０と、ステム４の上下動に連係するとともにシリンダ２０内に上下摺動可能に嵌合された図示しないピストンと、を備えている。
【００１８】
シリンダ２０は、容器軸Ｏと同軸に配置されている。シリンダ２０の上端部には、径方向外側に向けて突出するフランジ部２１がシリンダ２０の全周に亘って環状に形成されている。フランジ部２１は、容器本体２の口部２ａの上端開口縁上にパッキン２２を介して配置されている。これにより、シリンダ２０は容器本体２の口部２ａ内に挿入された状態で支持されている。
【００１９】
さらにシリンダ２０には、フランジ部２１の内周縁部から上方に向けて容器軸Ｏと同軸に延びる突出筒２３が形成されているとともに、フランジ部２１よりも下方に位置する部分に容器本体２内とシリンダ２０内とを連通する空気孔２４が形成されている。シリンダ２０内には、シリンダ２０の下端開口を開閉する図示しない弁部材、及びステム４を上方に向けて付勢する図示しないコイルばね（付勢部材）が配設されている。
【００２０】
弁部材は、シリンダ２０内の加圧時に、シリンダ２０の下端開口を閉塞した状態に維持し、且つシリンダ２０内の減圧時に、シリンダ２０の下端開口を開放する逆止弁とされている。これにより、シリンダ２０内の加圧時に、シリンダ２０内の内容物がシリンダ２０の下端開口を通じて容器本体２内に戻ることが規制され、且つシリンダ２０内の減圧時に、容器本体２内の内容物がシリンダ２０の下端開口を通じてシリンダ２０内に流入することを許容している。
【００２１】
ピストンは、シリンダ２０の内周面に密に摺接され、ステム４に伴ってシリンダ２０内を容器軸Ｏ方向に移動する。上述したコイルばねは、例えばピストンと弁部材との間に配設され、ピストンを介してステム４を上方に付勢している。シリンダ２０内におけるステム４上には、ステム４とシリンダ２０との間に画成され、空気孔２４に連通する環状空間が形成されている。
【００２２】
本実施形態のポンプ５は、押下ヘッド７が上述した下降端位置Ｐ１に位置しているときに、シリンダ２０の空気孔２４を閉塞するシール筒３２を、さらに備えている。シール筒３２は、規制筒８の内側に配設されている。シール筒３２の下端部には、シリンダ２０内に摺動可能に嵌合された図示しない閉塞筒が形成されている。
閉塞筒は、押下ヘッド７及びステム４が下降端位置Ｐ１に位置して、押下ヘッド７が規制筒８に装着された際、空気孔２４を閉塞する。なお、図４に示す押下ヘッド７及びステム４が上昇端位置Ｐ２に位置した場合、例えば閉塞筒はピストンによって下方から押し上げられて空気孔２４を開放する。なお、上述したステム４はシール筒３２の内側に容器軸Ｏ方向に移動可能に配設されている。なお、ステム４の外周面とシール筒３２の内周面との間には、外部と上述した環状空間とを連通する環状の連通路が画成されている。なお、シール筒３２は必須なものではなく具備しなくても構わない。
【００２３】
図１に示すように、装着キャップ３は、環状の天壁部３ａを有する有頂筒状に形成され、容器本体２の口部２ａに螺着されている。天壁部３ａは、シリンダ２０のフランジ部２１上に配置されている。なお、天壁部３ａの内側には、シリンダ２０の突出筒２３が、天壁部３ａの内周縁に対して径方向に隙間をあけた状態で挿通されている。
【００２４】
装着キャップ３の周壁部の下端縁には、環状の下側ピルファープルーフ部１３が連設されている。装着キャップ３の周壁部の下端縁と下側ピルファープルーフ部１３の上端縁とは、破断可能な容易破断部１５を介して連結されている。容易破断部１５は、周方向に間隔をあけて複数配置されている。なお、容易破断部１５を全周に亘って連続して延びる薄肉部等で形成してもよい。下側ピルファープルーフ部１３の内周面には、径方向の内側に向かうに従い漸次上方に向けて延びる爪部１４が周方向に間隔をあけて複数形成されている。爪部１４の上端縁は、容器本体２の口部２ａに形成された突起２ｂに、突起２ｂの下方から係合している。
【００２５】
規制筒８は、シリンダ２０の突出筒２３に取り付けられている。具体的に、規制筒８は、突出筒２３に外嵌（例えば、アンダーカット嵌合）された外筒４０と、突出筒２３の内側に配置された内筒４１と、外筒４０を径方向の外側から囲繞する外郭筒４２と、外郭筒４２の上端部及び外筒４０の上端部を径方向に接続するとともに、内周縁部が内筒４１に接続された環状の連結部４３と、を備えている。
【００２６】
内筒４１は、突出筒２３よりも上方に突出するように形成され、その下端部がシリンダ２０の上端部の内側に嵌合されている。内筒４１の外周面のうち連結部４３よりも下方に位置する部分（突出筒２３の内側に位置する部分）の外周面、及び突出筒２３の内周面には、互いに周方向に係合し合う縦長の回り止めリブ４４，４５が各別に形成されている。内筒４１の外周面のうち連結部４３よりも上方に位置する部分には、下降端位置Ｐ１に位置する押下ヘッド７が螺着される雄ねじ部４６が形成されている。
【００２７】
外郭筒４２は、装着キャップ３の周壁部よりも内径及び外径が小さい円筒状に形成されているとともに、連結部４３の外周縁部から装着キャップ３の天壁部３ａに達しない程度の長さで下方に延びている。これにより、外郭筒４２の下端縁と天壁部３ａの上面との間には、容器軸Ｏ方向に隙間が確保されている。
【００２８】
図１、図２に示すように、外郭筒４２の外周面には、径方向の内側に向けて窪む位置決め凹部４８が形成されている。位置決め凹部４８は、外郭筒４２を容器軸Ｏ方向に貫通している。本実施形態において、位置決め凹部４８は、外郭筒４２の外周面において、容器軸Ｏを間に挟んで径方向で対向する位置に形成されている。なお、位置決め凹部４８の数や形状は、適宜変更が可能である。例えば位置決め凹部４８は、外郭筒４２を容器軸Ｏ方向に貫通していなくても構わない。
【００２９】
押下ヘッド７は、下側ヘッド筒５０及び上側ヘッド筒６０が一体的に組み合わされることで構成されている。
下側ヘッド筒５０は、上述した規制筒８の内筒４１の上端部に取り付けられ、内筒４１の周囲を囲繞している。下側ヘッド筒５０は、螺着筒５１と、連結部５２と、上側ピルファープルーフ部（ピルファープルーフ部）５３と、を主に備えている。本実施形態において、螺着筒５１、連結部５２及び上側ピルファープルーフ部５３は、一体に形成されている。
【００３０】
図１、図３に示すように、螺着筒５１は、容器軸Ｏと同軸上に延在している。螺着筒５１の下部内周面には、内筒４１の雄ねじ部４６に螺着された雌ねじ部６１が形成されている。押下ヘッド７及びステム４は、雄ねじ部４６に対する雌ねじ部６１の螺着によって、下降端位置Ｐ１で保持されている。これにより、押下ヘッド７及びステム４は、規制筒８に対する上方移動が規制されている。螺着筒５１の下端面は、上述した下降端位置Ｐ１において、規制筒８の連結部４３に連結部４３の上方から近接又は当接している。また、螺着筒５１の上部（雌ねじ部６１よりも上方に位置する部分）には、容器軸Ｏ方向に延びる位置決めスリット６２が形成されている。位置決めスリット６２は、螺着筒５１を径方向に貫通するとともに、螺着筒５１の上端面で開放されている。
【００３１】
連結部５２は、螺着筒５１の下端部から径方向の外側に向けて突設されている。連結部５２は、螺着筒５１に対して容器軸Ｏ方向に弾性変位可能に構成されている。具体的に、連結部５２は、螺着筒５１の下端部を囲繞する支持リング６５と、支持リング６５及び螺着筒５１間を連結する変形部６６と、支持リング６５から上方に立設された中間筒６７と、を備えている。
【００３２】
支持リング６５は、容器軸Ｏと同軸上に配置されている。支持リング６５は、上述した下降端位置Ｐ１において、連結部４３に連結部４３の上方から近接又は当接している。
【００３３】
変形部６６は、螺着筒５１の外周面と支持リング６５の内周面とを連結している。変形部６６は、容器軸Ｏ方向に弾性変形可能に構成されている。変形部６６は、上述した下降端位置Ｐ１において、径方向の外側に向かうに従い下方に向けて撓んだ状態で保持されている。なお、変形部６６としては、螺着筒５１と支持リング６５との間を周方向に間欠的に連結する弾性連結片や、螺着筒５１と支持リング６５との間の全周に亘って連結する支持リング６５よりも薄肉の薄肉部等を用いることができる。
【００３４】
中間筒６７は、支持リング６５における径方向の中央部から上方に向けて立設されている。中間筒６７の上端面は、螺着筒５１の上端面よりも下方に位置している。図示の例において、中間筒６７の外径は、上述した外郭筒４２よりも小さくなっている。中間筒６７の外周面には、径方向の外側に向けて突出する規制突起（第１規制部）６８が形成されている。規制突起６８は、中間筒６７における容器軸Ｏ方向の全体に亘って形成されている。本実施形態において、規制突起６８は、周方向に間隔をあけて複数形成されている。
【００３５】
上側ピルファープルーフ部５３は、支持リング６５の外周面に破断可能な弱化部６９を介して連結されている。上側ピルファープルーフ部５３は、支持リング６５を径方向の外側から囲繞する筒状に形成されている。上側ピルファープルーフ部５３の内径は、上述した外郭筒４２よりも大きくなっている。そして、上側ピルファープルーフ部５３の下端部は、下降端位置Ｐ１において、上述した外郭筒４２の上端面（連結部４３の上面）よりも下方に位置している。したがって、下降端位置Ｐ１において、上側ピルファープルーフ部５３の下端部は、外郭筒４２の上端部を全周に亘って囲繞している。なお、本実施形態において、上側ピルファープルーフ部５３における容器軸Ｏ方向の長さは、外郭筒４２よりも長くなっている。
【００３６】
図１、図２に示すように、上側ピルファープルーフ部５３の下端部（弱化部６９よりも下方に位置する部分）には、径方向の内側に突出する係合部７１が形成されている。係合部７１は、上述した各位置決め凹部４８内に径方向の外側からそれぞれ収容されている。本実施形態における係合部７１における周方向の幅は、位置決め凹部４８における周方向の幅に比べて狭くなっている。そのため、係合部７１における周方向の両端面は、位置決め凹部４８の内周面に対して周方向に隙間を有している。
【００３７】
各係合部７１は、各位置決め凹部４８の内周面にそれぞれ周方向で当接することで、規制筒８に対する上側ピルファープルーフ部５３の回転を規制している。なお、係合部７１は、規制筒８に対する押下ヘッド７の回転を規制する構成であれば、適宜変更が可能である。例えば、係合部７１は、位置決め凹部４８内に収容される構成ではなく、外郭筒４２の外周面に係合（外嵌）される構成でも構わない。また、係合部を溝状に形成し、外郭筒４２に係合部に収容される突起等を設けても構わない。
【００３８】
図１に示すように、上側ヘッド筒６０は、有頂筒状に形成されている。上側ヘッド筒６０は、外側筒８１と、天壁８２と、内側筒８３と、装着筒８４と、ノズル部８５と、を主に備えている。
外側筒８１は、下端部が下側ヘッド筒５０における中間筒６７と上側ピルファープルーフ部５３との間に進入している。具体的に、外側筒８１は、中間筒６７に径方向の内側から支持されている。また、外側筒８１の下端面は、支持リング６５における中間筒６７よりも径方向の外側に位置する部分（以下、「当接部」という。）に当接部の上方から当接している。本実施形態において、外側筒８１は、当接部を介して支持リング６５を下方に向けて押さえ付けている。これにより、上述した変形部６６が弾性変形した状態で保持され、上側ピルファープルーフ部５３の係合部７１が位置決め凹部４８内に上方から進入している。
【００３９】
外側筒８１の内周面には、径方向の内側に窪む規制凹部（第１規制部）８６が形成されている。規制凹部８６内には、上述した規制突起６８が径方向の内側からそれぞれ収容されている。すなわち、上述した規制突起６８は、各規制凹部８６の内周面にそれぞれ周方向で当接することで、下側ヘッド筒５０に対する上側ヘッド筒６０の回転を規制している。なお、規制突起６８及び規制凹部８６は、下側ヘッド筒５０に対する上側ヘッド筒６０の回転を規制する構成であれば、適宜変更が可能である。例えば、外側筒８１の内周面に規制突起を形成し、外郭筒４２の外周面に規制凹部を形成する構成であっても構わない。
【００４０】
天壁８２は、外側筒８１の上端開口部を上方から閉塞している。本実施形態において、天壁８２は、上方に向けて膨出するドーム状に形成されている。
内側筒８３は、天壁８２における外側筒８１よりも径方向の内側に位置する部分から下方に延設されている。内側筒８３の下端部は、下側ヘッド筒５０の螺着筒５１に外嵌されている。なお、内側筒８３の下端面は、変形部６６における径方向の内側端部に上方から近接している。
【００４１】
装着筒８４は、天壁８２における内側筒８３よりも径方向の内側に位置する部分から下方に延設されている。装着筒８４の下部は、上述したステム４内に上方から嵌合されている。天壁８２における内側筒８３と装着筒８４との間に位置する部分には、下方に向けて延びる規制リブ（規制部）８８が形成されている。
【００４２】
規制リブ８８は、表裏面が周方向を向く板状に形成されるとともに、内側筒８３と装着筒８４とを径方向で架け渡している。規制リブ８８は、周方向で間隔をあけて複数形成されている。各規制リブ８８は、上述した螺着筒５１の位置決めスリット６２内にそれぞれ配置されている。すなわち、規制リブ８８は、各位置決めスリット６２の内周面にそれぞれ周方向で当接することで、下側ヘッド筒５０に対する上側ヘッド筒６０の回転を規制している。なお、図示の例おいて、規制リブ８８の下端面のうち、径方向の内側に位置する部分は、螺着筒５１の内側を通って上述したシール筒３２に上方から近接又は当接している。一方、規制リブ８８の下端面のうち、径方向の外側に位置する部分は、螺着筒５１の上端面に上方から近接又は当接している。また、本実施形態では、規制部として、規制リブ８８及び位置決めスリット６２、並びに規制突起６８及び規制凹部８６を備える構成としたが、この構成のみに限られない。すなわち、下側ヘッド筒５０に対する上側ヘッド筒６０の回転を規制する構成であれば、規制部の位置や形状等は適宜変更が可能である。
【００４３】
ノズル部８５は、外側筒８１から径方向の外側に突出するとともに内部が装着筒８４内に連通している。ノズル部８５における径方向の外側開口部は、内容物を吐出する上述した吐出孔６を構成している。
【００４４】
このように構成された押下ヘッド７は、下側ヘッド筒５０を螺着筒５１に螺着した後、上側ヘッド筒６０をステム４に対して上方から打栓等することで、下側ヘッド筒５０及び上側ヘッド筒６０が一体となってポンプ５に組み付けられる。なお、押下ヘッド７は、規制筒８に組み付けた後に、押下ヘッド７及び規制筒８をまとめてポンプ５に組み付けても構わない。
【００４５】
次に、上述のように構成された吐出容器１０を使用する場合について説明する。
吐出容器１０を開封するにあたって、まず押下ヘッド７と規制筒８との螺着を解除する。具体的に、下側ヘッド筒５０（螺着筒５１）と規制筒８（内筒４１）との螺着を解除させるように、押下ヘッド７を規制筒８に対して緩み方向に回転させる。
【００４６】
ここで、下側ヘッド筒５０の上側ピルファープルーフ部５３は、係合部７１が位置決め凹部４８内に収容されることで、規制筒８に対する回転が規制されている。これにより、押下ヘッド７の緩み方向の回転に伴い、押下ヘッド７のうち上側ピルファープルーフ部５３以外の部分（以下、「ヘッド本体部分」という。）は緩み方向への回転が許容されるものの、上側ピルファープルーフ部５３の緩み方向への回転が規制される。これにより、ヘッド本体部分が、上側ピルファープルーフ部５３に対して緩み方向に回転しようとすることで、弱化部６９が破断され、上側ピルファープルーフ部５３がヘッド本体部分（支持リング６５）から離脱する。その結果、ヘッド本体部分が、緩み方向への回転に伴いステム４とともに規制筒８に対して上方移動することで、図４に示す上昇端位置Ｐ２となる。これにより、吐出容器１０の吐出操作が可能となる。
【００４７】
一方、上側ピルファープルーフ部５３は、ヘッド本体部分から離脱することで、下方に向けて落下する。本実施形態において、上側ピルファープルーフ部５３は、下端面が装着キャップ３における天壁部３ａの上面に当接する位置まで落下する。これにより、規制筒８の外筒４０における容器軸Ｏ方向のほぼ全体が、上側ピルファープルーフ部５３によって径方向の外側から覆われる。なお、上側ピルファープルーフ部５３の落下位置は、ヘッド本体部分に連結されていた状態から少なくとも下方であれば構わない。
【００４８】
このように、本実施形態では、上側ピルファープルーフ部５３が破断可能な弱化部６９を介して連結部５２に連結されるとともに、規制筒８に対する上側ピルファープルーフ部５３の回転が規制されている構成とした。
この構成によれば、押下ヘッド７のうち、上側ピルファープルーフ部５３の回転が規制筒８によって規制されているため、押下ヘッド７の緩み方向の回転に伴いヘッド本体部分と上側ピルファープルーフ部５３とが相対回転することで、弱化部６９が破断される。すなわち、押下ヘッド７の緩み方向への回転操作だけで、弱化部６９を破断して、押下ヘッド７と規制筒８との螺着を解除することができるので、開封時における優れた操作性を具備させることができる。
しかも、弱化部６９を破断することで、上側ピルファープルーフ部５３が支持リング６５から落下することとなり、吐出容器１０の外観を当初（未開封時）と比べて変化させることが可能になる。このため、吐出容器１０が開封されたか否か（押下ヘッド７と規制筒８との螺着が解除されたことがあるか否か）を視認により容易に判別することができる。この場合、例えば図４の鎖線で示すように、吐出容器１０の開封後、押下ヘッド７が再び下降端位置Ｐ１に戻された場合であっても、上側ピルファープルーフ部５３の位置によって吐出容器１０が開封されたか否かを判断できる。
【００４９】
本実施形態では、下側ヘッド筒５０の中間筒６７が上側ヘッド筒６０（外側筒８１）を径方向の内側から支持しているため、上側ヘッド筒６０を下側ヘッド筒５０によって安定して支持できる。これにより、連結部５２を上側ヘッド筒６０によって安定して押し下げることができ、上側ピルファープルーフ部５３の係合部７１と位置決め凹部４８との係合状態を確保できる。
また、中間筒６７の規制突起６８と、外側筒８１の規制凹部８６と、によって下側ヘッド筒５０に対する上側ヘッド筒６０の回転を規制することで、下側ヘッド筒５０と上側ヘッド筒６０との組付状態をより安定させることができる。
【００５０】
本実施形態では、連結部５２における中間筒６７よりも径方向に内側に位置する部分に、容器軸Ｏ方向に変形可能な変形部６６が形成されているため、連結部５２を上側ヘッド筒６０によって安定して押し下げることができる。これにより、上側ピルファープルーフ部５３の係合部７１と位置決め凹部４８との係合状態を確保できる。
また、螺着筒５１、連結部５２及び上側ピルファープルーフ部５３が一体に形成されているため、部品点数の削減や構成の簡素化を図ることができる。
【００５１】
以上、本発明の実施形態について図面を参照して詳述したが、具体的な構成はこの実施形態に限られるものではなく、本発明の要旨を逸脱しない範囲の設計変更等も含まれる。
例えば、上述した実施形態では、上側ピルファープルーフ部５３が環状に形成された場合について説明したが、この構成のみに限らず、例えば弧状（Ｃ字状）に形成しても構わない。この場合、上側ピルファープルーフ部５３の周方向の両端部同士を、ブリッジ部や弱化部等で破断可能に連結しても構わない。
また、下側ヘッド筒５０と上側ヘッド筒６０とで色を異ならせても構わない。この場合には、吐出容器１０の未開封時と開封時との外観を視認により確実に判別することができる。
【００５２】
上述した実施形態では、係合部７１が規制筒８に係合する構成について説明したが、この構成のみに限らず、容器本体２や装着キャップ３に係合する構成でも構わない。
上述した実施形態では、規制筒８が一体に形成された構成について説明したが、この構成のみに限らず、例えば螺着筒５１や連結部５２、上側ピルファープルーフ部５３はそれぞれ別体で形成しても構わない。
【００５３】
このように、本発明の趣旨を逸脱しない範囲で、上述した実施形態における構成要素を周知の構成要素に置き換えることは適宜可能である。
【符号の説明】
【００５４】
１…吐出ポンプ
２…容器本体
２ａ…口部
３…装着キャップ
４…ステム
５…ポンプ
６…吐出孔
７…押下ヘッド
８…規制筒
１０…吐出容器
５０…下側ヘッド筒
５１…螺着筒
５２…連結部
５３…上側ピルファープルーフ部（ピルファープルーフ部）
６０…上側ヘッド筒
６２…位置決めスリット（規制部）
６６…変形部
６７…中間筒
６８…規制突起（第１規制部）
６９…弱化部
７１…係合部
８６…規制凹部（第１規制部）
８８…規制リブ（規制部）
【図１】
2018052596.tif 000003
【図２】
2018052596.tif 000004
【図３】
2018052596.tif 000005
【図４】
2018052596.tif 000006